(57)【特許請求の範囲】
【請求項１】
開口部に取付けられる四周枠と、この四周枠内において収納および引出し伸長自在とされたスクリーンを備え、開口部に取付け固定される前に予めこの四周枠がコーナー部におけるコネクティングブロックを介しての枠部材の結合により組立てられるスクリーン装置であって、
コネクティングブロックは、その本体において、コーナー部で結合される枠部材各々の９０°に切断され、互いに突き合わされることのない直交端部を仮止めする壁部と、この壁部より枠部材の長手方向に延設された自由端部とを有し、枠部材の直交端部が差し込まれる隙間が壁部と自由端部との間に形成され、
また、コネクティングブロックの本体は、直交方向の各々に設けたネジ挿通穴を有し、このネジ挿通穴にはネジが挿通されるとともに、
ネジの先端部には移動自在にネジ連結された駒部材が配設されており、
枠部材の直交端部が隙間に差し込まれ、コネクティングブロック本体の壁部に仮止めされた後にネジが回わされて先端部駒部材が移動され、移動した駒部材により前記自由端部が枠部材内壁に押圧されて枠部材のコーナー部結合が行われることを特徴とするスクリーン装置。
【請求項２】
自由端部は、幅方向に対応配置されて、直交端部方向に相互の間の幅が次第に狭くなるように切欠かれており、駒部材は、この切欠きに対応する傾斜面を持っている請求項１のスクリーン装置。
【請求項３】
スクリーンはプリーツスクリーンである請求項１または２のスクリーン装置。
【請求項４】
スクリーンは網戸である請求項１ないし３のいずれかのスクリーン装置。
【発明の詳細な説明】
【０００１】
【発明の属する技術分野】
この出願の発明は、プリーツスクリーン装置に関するものである。さらに詳しくは、この出願の発明は、開口部での現場寸法に応じての施工が容易で、しかも取外しも容易な、施工性、組立て性に優れた網戸をはじめとするプリーツスクリーン装置に関するものである。
【０００２】
【従来の技術とその課題】
従来より、開口部に網戸等を設置する場合には、予め、標準的に定められた開口部寸法に合わせて網戸とその四周枠とを工場等において組立てたものを開口部に取付けるか、あるいは、現場の開口部の寸法に応じて枠部材を加工して組立てて取付けている。
【０００３】
しかしながら、工場等において組立てられたものはしばしば現場状況に合わないことがあり、また、現場において加工組立てする場合にも、工場組立てのものを現場に合わせて調節する場合と同様に、その作業は必ずしも容易ではなかった。
その理由としては、四周枠を構成する枠部材をコーナー部において接合するための方法の一つとして、枠部材の直交端部での圧入による嵌合の方式があるが、この方式では、簡便に強固な枠部材の結合が得られにくく、しかもこの結合を解除して取外すことが容易でなく、また、嵌合部を設けているために、四周枠の外寸（内寸）を任意に変化させて結合することができないという問題があったからである。しかも、この方式の場合には、嵌合部の寸法に精度が要求されているため、現場対応が本来的に困難であった。
【０００４】
一方、アルミサッシ枠の構造において一般に見られるネジ締結の方式による場合には、結合の強度が比較的大きいことやその解除が容易であるという利点はあるものの、四周枠の外寸（内寸）を任意に変化させて強固な結合を得ることができないという問題があった。このため、現場対応性においては満足できるものではなかった。
【０００５】
以上のような従来技術の問題点は、この出願の発明者らによって開発され、提供されてきている折畳み収納および引出し伸長自在とした、ブラインド、網戸等としてのプリーツスクリーン装置においては開口部への配設において四周枠が必要とされ、既設の住宅等の開口部に取付けることから、現場状況に合わせた対応が求められていることで切実であった。
【０００６】
そこで、この出願の発明は、四周枠を有するスクリーン装置において、
（１）簡便に強固な枠部材の接合が可能であって、
（２）しかも容易にこの接合構造を解除することができ、
（３）さらには、四周枠の外寸（内寸）を任意に変化させて強固な結合を得ることのできる
新しいスクリーン装置を提供することを課題としている。
【０００７】
【課題を解決するための手段】
この出願は、上記の課題を解決するために、第１の発明として、開口部に取付けられる四周枠と、この四周枠内において収納および引出し伸長自在とされたスクリーンを備え、開口部に取付け固定される前に予めこの四周枠がコーナー部におけるコネクティングブロックを介しての枠部材の結合により組立てられるスクリーン装置であって、
コネクティングブロックは、その本体において、コーナー部で結合される枠部材各々の９０°に切断され、互いに突き合わされることのない直交端部を仮止めする壁部と、この壁部より枠部材の長手方向に延設された自由端部とを有し、枠部材の直交端部が差し込まれる隙間が壁部と自由端部との間に形成され、
また、コネクティングブロックの本体は、直交方向の各々に設けたネジ挿通穴を有し、このネジ挿通穴にはネジが挿通されるとともに、
ネジの先端部には移動自在にネジ連結された駒部材が配設されており、
枠部材の直交端部が隙間に差し込まれ、コネクティングブロック本体の壁部に仮止めされた後にネジが回わされて先端部駒部材が移動され、移動した駒部材により前記自由端部が枠部材内壁に押圧されて枠部材のコーナー部結合が行われることを特徴とするスクリーン装置を提供する。
【０００８】
また、この出願は、前記第１の発明に関連して、第２の発明として、自由端部は、直交端部方向に幅が次第に狭くなるように切欠かれており、駒部材は、この切欠きに対応する傾斜面を持っているスクリーン装置を、第３の発明として、スクリーンはプリーツスクリーンであるスクリーン装置を、第４の発明として、スクリーンは網戸であるスクリーン装置をも提供する。
【０００９】
【発明の実施の形態】
この出願の発明は、以上のとおりの特徴を持つものであるが、以下に実施例を示し、さらに詳しく発明の実施の形態について説明する。
【００１０】
【実施例】
図１は、この発明のスクリーン装置の全体外観を例示した斜視図である。
たとえばまずこの図１に例示したように、この発明のスクリーン装置では、窓や出入口等の開口部に取付けられる四周枠（１）と、この四周枠（１）内において収納および引出し伸長自在とされたスクリーン（２）とを備え、開口部に取付け固定される前に予めこの四周枠（１）が、コーナー部におけるコネクティングブロック（３）を介しての枠部材（１Ａ）（１Ｂ）（１Ｃ）（１Ｄ）の結合により組立てられている。
【００１１】
そして、この発明のスクリーン装置では、開口部に取付前に、図１のように、四隅のコネクティングブロック（３）を、枠部材（１Ａ）（１Ｂ）（１Ｃ）（１Ｄ）の直交端部に仮止めし、コネクティングブロック（３）に装着したネジを、ドライバー（４）により回して、四周枠（１）を結合組立てできるようにしている。
【００１２】
コネクティングブロック（３）について例示したものが、図２の正面図および側面図であり、図３の断面図である。
コネクティングブロック（３）は、その本体において、コーナー部で結合される枠部材、たとえば図１の枠部材（１Ａ）（１Ｂ）の各々の９０°に切断され、互いに突き合わされることのない直交端部を仮止めする壁部（３１）と、この壁部より枠部材（１Ａ）（１Ｂ）の長手方向に延設された自由端部（３２）とを有している。また、コネクティングブロック（３）の本体は、直交方向の各々に設けたネジ挿通穴（３３）を持ってもいる。
【００１３】
このネジ挿通穴（３３）には図３に例示したようにネジ（３４）が挿通されている。そして、このネジ（３４）の先端部には、移動自在に、ネジ連結された駒部材（３５）が取付けられている。
自由端部（３２）は、幅方向に対応配置されて、直交端部方向に、相互の間の幅が次第に狭くなるように切欠かれている。駒部材（３５）は、この切欠きに対応する傾斜面を有してもいる。
【００１４】
以上の構成を有するコネクティングブロック（３）においては、たとえば、枠部材（１Ａ）（１Ｂ）の直交端部に対し、壁部（３１）と自由端部（３２）との間の隙間（３０）に樹脂やアルミ製の枠部材壁を差込んで仮止めすることができる。
この仮止めされた状態で、ネジ（３４）を、方向（Ａ）（Ｂ）より差込んだドライバー（４）を用いて回転させると、駒部材（３５）が、方向（Ａ）（Ｂ）、もしくは各々その逆方向に移動する。その移動方向は、ネジ（３４）の回転方向により定まることになる。
【００１５】
実際、たとえば、方向（Ａ）よりドライバー（４）を差込んで、ネジ（３４）の頭部を一方向に回転させると、図２に例示したように、駒部材（３５）は、逆方向（Ａ′）に移動するようにしている。この逆方向（Ａ′）への駒部材（３５）の移動は、駒部材（３５）を、前記の自由端部（３２）に当接させ、さらにネジ（３４）を回転させると、この駒部材（３５）もさらに逆方向（Ａ′）に移動して、図２の例においては、自由端部（３２）を、方向（Ｃ）のように外方へ押し広げるようになる。すると、押し広げられた自由端部（３２）は、前記の枠部材（１Ａ）の内壁を押圧し、この押圧によってコネクティングブロック（３）は、枠部材（１Ａ）にしっかりと結合されることになる。同様のことが、枠部材（１Ｂ）についても行われる。
【００１６】
このようにして、コネクティングブロック（３）は、枠部材（１Ａ）（１Ｂ）の直交端部に結合されて、結果として、枠部材（１Ａ）（１Ｂ）は、相互に直交連結されることになる。図１に例示した、枠部材（１Ｂ）（１Ｃ）、枠部材（１Ｃ）（１Ｄ）、枠部材（１Ｄ）（１Ａ）の直交部においても同様にしてコネクティングブロック（３）を介しての結合が形成されることになる。
【００１７】
一方、以上の結合状態の解除は、前記のネジ（３４）の回転を逆にすると、駒部材（３５）が自由端部（３２）より離れることで容易に可能となる。
しっかりとした確実で、強固な結合が形成されるとともに、この結合は極めて容易に解除されることになる。このことは、この発明のコネクティングブロック（３）の使用によって実現される顕著な効果の一つである。
【００１８】
そしてまた、以上の説明からも明らかなように、枠部材（１Ａ）（１Ｂ）（１Ｃ）（１Ｄ）の壁部（３１）での仮固定には当然のこととして寸法の余裕がある。外寸（内寸）の変化があっても対応容易である。さらに、枠部材（１Ａ）（１Ｂ）（１Ｃ）（１Ｄ）については、その長さを現場に合わせて所定のものに切断して、その端部にコネクティングブロック（３）の取付けができることになる。このことによっても、この発明の結合構造は、現場対応性に優れ、しかも組立て施工性にも優れていることがよくわかる。
【００１９】
もちろん、仮止めのための壁部（３１）と自由端部（３２）との関係や、自由端部（３２）と駒部材（３５）との関係等については各種の具体的態様であってよい。いずれの場合でも、この発明においての作用効果は優れたものとなる。
なお、以上のとおり例示される構成からなるこの発明のスクリーン装置は、スクリーン（２）そのものは張設状態に固定されたものであってもよいが、折畳収納と引出し自在にしたプリーツスクリーンの場合がその好適な例として示される。このプリーツスクリーンは、網戸であってもよいし、布、シート、その他のブラインドの各種素材からなるものであってよい。あるいはまた、巻取り方式によるロールスクリーンであってもよい。
【００２０】
四周枠（１）の組立てが予めなされるこの発明のスクリーン装置では、開口部への四周枠（１）の取付けについても様々な方式と構造が採用される。
たとえば、この発明のスクリーン装置では、開口部に対して、その開口枠外に後付けするようにしてもよい。すなわち、たとえば、図４に例示したように、開口枠（５）に対し、四周枠（１）を外付けしてよく、そのための取付部材（６）を、この四周枠（１）に装着しておいてもよい。
【００２１】
図５（Ａ）（Ｂ）（Ｃ）は、この取付部材（６）の例を示したものである。図１との対応では、図５（Ａ）は、上部枠部材（１Ｂ）に装着した取付部材（６）を、図５（Ｂ）は、両側の枠部材（１Ａ）（１Ｃ）に装着した取付部材（６）を、図５（Ｃ）は、下部枠部材（１Ｄ）に装着した取付部材（６）を例示している。
【００２２】
このいずれの場合の取付部材（６）も、枠部材（１Ａ）（１Ｂ）（１Ｃ）（１Ｄ）の長手方向に設けた溝（７）内に嵌着される対向弾性片（６１）を持ち、その取付平板部（６２）には、両面テープ等による粘着層（６３）を有している。
このような取付部材（６）により、この発明のスクリーン装置の開口部への取付けも極めて容易となる。
【００２３】
もちろんこの発明は以上の例によって限定されるものではない。その細部の態様について様々に可能である。
【００２４】
【発明の効果】
以上詳しく説明したとおり、この出願のスクリーン装置の発明によって、
（１）簡便に強固な枠部材の接合が可能であって、
（２）しかも容易にこの接合構造を解除することができ、
（３）さらには、四周枠の外寸（内寸）を任意に変化させて強固な結合を得ることができる。
【図面の簡単な説明】
【図１】この発明のスクリーン装置の外観斜視図である。
【図２】コネクティングブロックの正面図と側面図である。
【図３】図２に対応する、ネジを挿通した状態の断面図である。
【図４】この発明の装置の開口部に対する外付けを例示した側断面図である。
【図５】（Ａ）（Ｂ）（Ｃ）は、各々取付部材を例示した断面図である。
【符号の説明】
１  四周枠
１Ａ，１Ｂ，１Ｃ，１Ｄ  枠部材
２  スクリーン
３  コネクティングブロック
３０  隙間
３１  壁部
３２  自由端部
３３  ネジ挿通穴
３４  ネジ
３５  駒部材
４  ドライバー
５  開口枠
６  取付部材
６１  対向弾性片
６２  取付平板部
６３  粘着層
７    溝
【図１】
0003801770.tif 000002
【図２】
0003801770.tif 000003
【図３】
0003801770.tif 000004
【図４】
0003801770.tif 000005
【図５】
0003801770.tif 000006